(57)【特許請求の範囲】
【請求項１】
電子マネーを格納し該電子マネーによる料金の支払いを行う機能を備えるＩＣカードのレンタルを行うＩＣカードレンタルシステムであって、
通信ネットワークに接続されたＩＣカード情報管理サーバと、操作端末と、ＩＣカード処理装置とを備え、
前記操作端末は、
サービス利用者によるレンタルカードの発行要求を受け付ける手段と、
該発行要求を受け付けたとき、該レンタルカードの発行要求と、該サービス利用者により入力された該サービス利用者を特定する情報とを、前記ＩＣカード情報管理サーバに送信する手段と、
前記ＩＣカード情報管理サーバから、該サービス利用者が持つ保持カードの最新の使用履歴データと会員情報が送信されたとき、それらの情報に基づいてレンタルカードを発行する手段と、
サービス利用者によるレンタルカードの返却要求を受け付ける手段と、
該返却要求を受け付けたとき、該レンタルカードの返却要求と、該サービス利用者がもともと所持していた保持カードとレンタルカードの情報を読み取ることで取得した該保持カードとレンタルカードを特定する情報とを、前記ＩＣカード情報管理サーバに送信する手段と、
前記ＩＣカード情報管理サーバから、前記返却要求されたレンタルカードのデータをゼロクリアする指示と、前記保持カードの電子マネー残額を書き込む指示が送信されたとき、前記レンタルカードのデータをゼロクリアして使用できないようにし、前記保持カードの電子マネー残額を指示された額に書き込む手段と
を備え、
前記ＩＣカード処理装置は、
サービス利用者による保持カードやレンタルカードを利用した電子マネーでの料金の支払い要求を受け付け、その使用履歴データを定期的に前記ＩＣカード情報管理サーバに送信する手段
を備え、
前記ＩＣカード情報管理サーバは、
前記ＩＣカード処理装置から定期的に送信される使用履歴データを格納する履歴データ格納手段と、
サービス利用者を特定する情報と、そのサービス利用者が保持する保持カードのＩＣカードＩＤと、そのサービス利用者の決済に利用するクレジットカードの番号とを含む会員情報を記憶する会員情報記憶手段と、
前記操作端末から送信されるレンタルカードの発行要求と前記サービス利用者を特定する情報を受信したとき、前記会員情報記憶手段からそのサービス利用者の会員情報を取得し、そのサービス利用者が持つ保持カードの最新の使用履歴データを前記履歴データ格納手段から取得し、その最新の使用履歴データと会員情報を前記操作端末に送信する手段と、
前記操作端末から送信されるレンタルカードの返却要求と前記保持カードとレンタルカードを特定する情報を受信したとき、前記履歴データ格納手段から前記保持カードとレンタルカードの使用履歴データを取得し、それらの使用履歴データから精算後の電子マネー残額を計算するとともに、不足分の有無を検出する手段と、
前記不足分があったときは、その不足分を前記クレジットカード番号に基づいてクレジット会社に請求する手段と、
前記返却要求されたレンタルカードのデータをゼロクリアする指示と、前記不足分があったときは前記保持カードの電子マネー残額としてゼロを書き込み、前記不足分がなかったときは前記精算後の電子マネー残額を前記保持カードの電子マネー残額として書き込む指示を、前記操作端末に送信する手段と
を備えることを特徴とするＩＣカードレンタルシステム。
【請求項２】
請求項１に記載のＩＣカードレンタルシステムにおいて、
前記サービス利用者を特定する情報は、サービス利用者の氏名、生年月日、および暗証番号を含むことを特徴とするＩＣカードレンタルシステム。
【請求項３】
請求項１に記載のＩＣカードレンタルシステムにおいて、
前記レンタルカードの発行時には、前記保持カードに関して前記履歴データ格納手段に格納されている最新の履歴データの電子マネー残額をそのレンタルカードの残額に設定することを特徴とするＩＣカードレンタルシステム。
【請求項４】
請求項１に記載のＩＣカードレンタルシステムにおいて、
前記ＩＣカード情報管理サーバは、使用を許可しないＩＣカードを登録するネガ情報格納手段を備え、前記レンタルカードを発行したときには、前記保持カードを前記ネガ情報格納手段に登録することによりその使用を中止させ、前記レンタルカードが返却されたときには、前記保持カードを前記ネガ情報格納手段から削除してその使用を許可することを特徴とするＩＣカードレンタルシステム。
【請求項５】
電子マネーを格納し該電子マネーによる料金の支払いを行う機能を備えるＩＣカードのレンタルを行うＩＣカードレンタル方法であって、
通信ネットワークに接続されたＩＣカード情報管理サーバと、操作端末と、ＩＣカード処理装置とを設け、
前記操作端末は、
サービス利用者によるレンタルカードの発行要求を受け付け、
該発行要求を受け付けたとき、該レンタルカードの発行要求と、該サービス利用者により入力された該サービス利用者を特定する情報とを、前記ＩＣカード情報管理サーバに送信し、
前記ＩＣカード情報管理サーバから、該サービス利用者が持つ保持カードの最新の使用履歴データと会員情報が送信されたとき、それらの情報に基づいてレンタルカードを発行し、
サービス利用者によるレンタルカードの返却要求を受け付け、
該返却要求を受け付けたとき、該レンタルカードの返却要求と、該サービス利用者がもともと所持していた保持カードとレンタルカードの情報を読み取ることで取得した該保持カードとレンタルカードを特定する情報とを、前記ＩＣカード情報管理サーバに送信し、
前記ＩＣカード情報管理サーバから、前記返却要求されたレンタルカードのデータをゼロクリアする指示と、前記保持カードの電子マネー残額を書き込む指示が送信されたとき、前記レンタルカードのデータをゼロクリアして使用できないようにし、前記保持カードの電子マネー残額を指示された額に書き込むものとし、
前記ＩＣカード処理装置は、
サービス利用者による保持カードやレンタルカードを利用した電子マネーでの料金の支払い要求を受け付け、その使用履歴データを定期的に前記ＩＣカード情報管理サーバに送信し、
前記ＩＣカード情報管理サーバは、
前記ＩＣカード処理装置から定期的に送信される使用履歴データを履歴データ格納手段に格納し、
サービス利用者を特定する情報と、そのサービス利用者が保持する保持カードのＩＣカードＩＤと、そのサービス利用者の決済に利用するクレジットカードの番号とを含む会員情報を会員情報記憶手段に記憶し、
前記操作端末から送信されるレンタルカードの発行要求と前記サービス利用者を特定する情報を受信したとき、前記会員情報記憶手段からそのサービス利用者の会員情報を取得し、そのサービス利用者が持つ保持カードの最新の使用履歴データを前記履歴データ格納手段から取得し、その最新の使用履歴データと会員情報を前記操作端末に送信し、
前記操作端末から送信されるレンタルカードの返却要求と前記保持カードとレンタルカードを特定する情報を受信したとき、前記履歴データ格納手段から前記保持カードとレンタルカードの使用履歴データを取得し、それらの使用履歴データから精算後の電子マネー残額を計算するとともに、不足分の有無を検出し、
前記不足分があったときは、その不足分を前記クレジットカード番号に基づいてクレジット会社に請求し、
前記返却要求されたレンタルカードのデータをゼロクリアする指示と、前記不足分があったときは前記保持カードの電子マネー残額としてゼロを書き込み、前記不足分がなかったときは前記精算後の電子マネー残額を前記保持カードの電子マネー残額として書き込む指示を、前記操作端末に送信する
ことを特徴とするＩＣカードレンタル方法。
【発明の詳細な説明】
【技術分野】
【０００１】
本発明は、ＩＣカードの情報を管理するシステムおよび方法に関し、特に、サービス利用者が保持しているＩＣカードのデータを引き継いだＩＣカードを一時的に臨時で発行し、期限を設けて貸し出す、言わばＩＣカードのレンタルを実現する技術に関するものである。
【背景技術】
【０００２】
ＩＣカードは、電子マネーや個人情報、定期券などの情報が登録されたカードであり、登録できる情報量が多いこと、データの劣化が無いことなどの利点を持つ。そのような利点を持つことから、特に今日では、これまで使用されてきた磁気カードの発行を中止し、ＩＣカードへの移行が進み、鉄道業界、流通業界など分野を問わずに普及している。
【０００３】
ＩＣカードにかかる情報の管理技術として、例えば下記特許文献１に記載の技術がある。該文献に記載の共通乗車券ＩＤ管理システムは、ＩＣカードに登録する情報、および利用履歴データの管理を行うものであり、この共通乗車券ＩＤ管理システムに登録された情報に従い、ＩＣカードの発行、および利用中止を行う。ＩＣカードは一意に識別可能なＩＤを付与されて発行され、発行されたＩＣカードの履歴データはこの共通乗車券ＩＤ管理システムに定期的に集約され、履歴データの突合処理が行われる。これによりＩＣカードの不正利用を検知する。
【先行技術文献】
【特許文献】
【０００４】
【特許文献１】特開２００４-３２６６３５号公報
【発明の概要】
【発明が解決しようとする課題】
【０００５】
ところで、ＩＣカードは利用時にサービス利用者が保持していることが前提であるため、ＩＣカードを保持していない場合、例えば自宅に置き忘れたり紛失した場合には、電子マネーでの商品購入、定期券での電車乗車などのサービスを受けることができない。紛失申請を行うことにより、再発行を行うことも可能であるが、その場合には、ＩＣカードの履歴データの突合処理がすべて完了した状態であることが前提となるため、申請後、履歴データの突合処理が完了するまでの期間を経過しなければ再発行できない。従って、利用者がＩＣカードを自宅に置き忘れたりしたことに気が付いても、すぐに再発行を受けることができないのが現状である。
【０００６】
そこで、本発明は、このような実情に鑑みて、ＩＣカードを保持していない状況でも、サービス利用者が過去取得したＩＣカードの情報を引き継いだＩＣカードを臨時で発行して一時的に貸し出し、本来サービス利用者が保持していたＩＣカードが使用できる状態になった場合には、貸し出されていたＩＣカードを返却することが可能な、言わばＩＣカードをレンタルすることができる技術を提供することを目的とするものである。
【課題を解決するための手段】
【０００７】
上記目的を達成するため鋭意研究の結果、本発明者は、サービス利用者が保持していたＩＣカードの情報を、一時的に発行したＩＣカードにコピーし、保持していたＩＣカードは使用を中止させ、利用が終了する際はレンタルカードの変更データを保持していたＩＣカードに書き戻し、かつ履歴データの突合処理にて一時的に発行したＩＣカード発行前に使用した変更データを保持していたＩＣカードに書き込むことでＩＣカードのレンタルを行うことができることに想到した。
【０００８】
すなわち、請求項１にかかる発明は、電子マネーを格納し該電子マネーによる料金の支払いを行う機能を備えるＩＣカードのレンタルを行うＩＣカードレンタルシステムであって、通信ネットワークに接続されたＩＣカード情報管理サーバと、操作端末と、ＩＣカード処理装置とを備え、前記操作端末は、サービス利用者によるレンタルカードの発行要求を受け付ける手段と、該発行要求を受け付けたとき、該レンタルカードの発行要求と、該サービス利用者により入力された該サービス利用者を特定する情報とを、前記ＩＣカード情報管理サーバに送信する手段と、前記ＩＣカード情報管理サーバから、該サービス利用者が持つ保持カードの最新の使用履歴データと会員情報が送信されたとき、それらの情報に基づいてレンタルカードを発行する手段と、サービス利用者によるレンタルカードの返却要求を受け付ける手段と、該返却要求を受け付けたとき、該レンタルカードの返却要求と、該サービス利用者がもともと所持していた保持カードとレンタルカードの情報を読み取ることで取得した該保持カードとレンタルカードを特定する情報とを、前記ＩＣカード情報管理サーバに送信する手段と、前記ＩＣカード情報管理サーバから、前記返却要求されたレンタルカードのデータをゼロクリアする指示と、前記保持カードの電子マネー残額を書き込む指示が送信されたとき、前記レンタルカードのデータをゼロクリアして使用できないようにし、前記保持カードの電子マネー残額を指示された額に書き込む手段とを備え、前記ＩＣカード処理装置は、サービス利用者による保持カードやレンタルカードを利用した電子マネーでの料金の支払い要求を受け付け、その使用履歴データを定期的に前記ＩＣカード情報管理サーバに送信する手段を備え、前記ＩＣカード情報管理サーバは、前記ＩＣカード処理装置から定期的に送信される使用履歴データを格納する履歴データ格納手段と、サービス利用者を特定する情報と、そのサービス利用者が保持する保持カードのＩＣカードＩＤと、そのサービス利用者の決済に利用するクレジットカードの番号とを含む会員情報を記憶する会員情報記憶手段と、前記操作端末から送信されるレンタルカードの発行要求と前記サービス利用者を特定する情報を受信したとき、前記会員情報記憶手段からそのサービス利用者の会員情報を取得し、そのサービス利用者が持つ保持カードの最新の使用履歴データを前記履歴データ格納手段から取得し、その最新の使用履歴データと会員情報を前記操作端末に送信する手段と、前記操作端末から送信されるレンタルカードの返却要求と前記保持カードとレンタルカードを特定する情報を受信したとき、前記履歴データ格納手段から前記保持カードとレンタルカードの使用履歴データを取得し、それらの使用履歴データから精算後の電子マネー残額を計算するとともに、不足分の有無を検出する手段と、前記不足分があったときは、その不足分を前記クレジットカード番号に基づいてクレジット会社に請求する手段と、前記返却要求されたレンタルカードのデータをゼロクリアする指示と、前記不足分があったときは前記保持カードの電子マネー残額としてゼロを書き込み、前記不足分がなかったときは前記精算後の電子マネー残額を前記保持カードの電子マネー残額として書き込む指示を、前記操作端末に送信する手段とを備えることを特徴とする。
【０００９】
請求項２にかかる発明は、請求項１に記載のＩＣカードレンタルシステムにおいて、前記サービス利用者を特定する情報は、サービス利用者の氏名、生年月日、および暗証番号を含むことを特徴とする。
【００１０】
請求項３にかかる発明は、請求項１に記載のＩＣカードレンタルシステムにおいて、前記レンタルカードの発行時には、前記保持カードに関して前記履歴データ格納手段に格納されている最新の履歴データの電子マネー残額をそのレンタルカードの残額に設定することを特徴とする。
【００１１】
請求項４にかかる発明は、請求項１に記載のＩＣカードレンタルシステムにおいて、前記ＩＣカード情報管理サーバは、使用を許可しないＩＣカードを登録するネガ情報格納手段を備え、前記レンタルカードを発行したときには、前記保持カードを前記ネガ情報格納手段に登録することによりその使用を中止させ、前記レンタルカードが返却されたときには、前記保持カードを前記ネガ情報格納手段から削除してその使用を許可することを特徴とする。
【００１２】
請求項５にかかる発明は、電子マネーを格納し該電子マネーによる料金の支払いを行う機能を備えるＩＣカードのレンタルを行うＩＣカードレンタル方法であって、通信ネットワークに接続されたＩＣカード情報管理サーバと、操作端末と、ＩＣカード処理装置とを設け、前記操作端末は、サービス利用者によるレンタルカードの発行要求を受け付け、該発行要求を受け付けたとき、該レンタルカードの発行要求と、該サービス利用者により入力された該サービス利用者を特定する情報とを、前記ＩＣカード情報管理サーバに送信し、前記ＩＣカード情報管理サーバから、該サービス利用者が持つ保持カードの最新の使用履歴データと会員情報が送信されたとき、それらの情報に基づいてレンタルカードを発行し、サービス利用者によるレンタルカードの返却要求を受け付け、該返却要求を受け付けたとき、該レンタルカードの返却要求と、該サービス利用者がもともと所持していた保持カードとレンタルカードの情報を読み取ることで取得した該保持カードとレンタルカードを特定する情報とを、前記ＩＣカード情報管理サーバに送信し、前記ＩＣカード情報管理サーバから、前記返却要求されたレンタルカードのデータをゼロクリアする指示と、前記保持カードの電子マネー残額を書き込む指示が送信されたとき、前記レンタルカードのデータをゼロクリアして使用できないようにし、前記保持カードの電子マネー残額を指示された額に書き込むものとし、前記ＩＣカード処理装置は、サービス利用者による保持カードやレンタルカードを利用した電子マネーでの料金の支払い要求を受け付け、その使用履歴データを定期的に前記ＩＣカード情報管理サーバに送信し、前記ＩＣカード情報管理サーバは、前記ＩＣカード処理装置から定期的に送信される使用履歴データを履歴データ格納手段に格納し、サービス利用者を特定する情報と、そのサービス利用者が保持する保持カードのＩＣカードＩＤと、そのサービス利用者の決済に利用するクレジットカードの番号とを含む会員情報を会員情報記憶手段に記憶し、前記操作端末から送信されるレンタルカードの発行要求と前記サービス利用者を特定する情報を受信したとき、前記会員情報記憶手段からそのサービス利用者の会員情報を取得し、そのサービス利用者が持つ保持カードの最新の使用履歴データを前記履歴データ格納手段から取得し、その最新の使用履歴データと会員情報を前記操作端末に送信し、前記操作端末から送信されるレンタルカードの返却要求と前記保持カードとレンタルカードを特定する情報を受信したとき、前記履歴データ格納手段から前記保持カードとレンタルカードの使用履歴データを取得し、それらの使用履歴データから精算後の電子マネー残額を計算するとともに、不足分の有無を検出し、前記不足分があったときは、その不足分を前記クレジットカード番号に基づいてクレジット会社に請求し、前記返却要求されたレンタルカードのデータをゼロクリアする指示と、前記不足分があったときは前記保持カードの電子マネー残額としてゼロを書き込み、前記不足分がなかったときは前記精算後の電子マネー残額を前記保持カードの電子マネー残額として書き込む指示を、前記操作端末に送信することを特徴とする。
【発明の効果】
【００１３】
本発明のＩＣカードレンタルシステムおよび方法によれば、例えばＩＣカードを自宅に忘れて、外出先で保持していない場合でも、その場で直近の履歴データの情報をもとにレンタルカードを発行することにより、金銭授受無しに、本来サービス利用者自身が保持していたＩＣカードのように使用することが可能となる。また、レンタルカード返却時に、元々保持していたＩＣカードからシステム利用料金や、突合処理で処理されなかった利用金額を精算するため、サービス利用者から直接金銭授受を行うのは元々保持していたＩＣカードの残額が不足した場合のみで良く、利便性向上につながる。
【図面の簡単な説明】
【００１４】
【図１】本発明の一実施形態にかかるＩＣカードレンタルシステムの全体構成を示す概略図である。
【図２】ＩＣカード情報管理サーバの内部構成を概略的に示す機能ブロック図である。
【図３】ＩＣカード情報管理サーバのＩＣカード情報記憶部に記憶されるデータ構造を例示する概略図（その１）である。
【図４】ＩＣカード情報管理サーバのＩＣカード情報記憶部に記憶されるデータ構造を例示する概略図（その２）である。
【図５】操作端末の機器構成を概略的に示す図である。
【図６】操作端末の内部構成を概略的に示す機能ブロック図である。
【図７】操作端末のレンタルカード発行時のサービス利用者認証時に表示する画面を示す図である。
【図８】操作端末のレンタルカード発行時の発行レンタルカードの内容を表示する画面を示す図である。
【図９】ＩＣカード情報管理サーバのレンタルカード発行時の処理フローを示す図である。
【図１０】レンタルカード使用時のシーケンス図である。
【図１１】保持カード使用時のシーケンス図である。
【図１２】操作端末のレンタルカード返却時のサービス利用者にレンタルカードと保持カードを読み取り装置にかざすことを促す旨を表示する画面を示す図である。
【図１３】操作端末のレンタルカード返却時の精算額が残額を上回っている場合に表示する画面を示す図である。
【図１４】操作端末のレンタルカード返却時の精算額が残額を下回っている場合に表示する画面を示す図である。
【図１５】ＩＣカード情報管理サーバのレンタルカード返却時の処理フローを示す図である。
【発明を実施するための形態】
【００１５】
以下、添付図面を参照しながら、本発明のＩＣカードレンタルシステムを実施するための最良の形態を詳細に説明する。
【００１６】
なお、以下、「保持カード」とはサービス利用者が元々保持しているＩＣカードのことを言うものとする。また、「レンタルカード」とは、保持カードの情報を引き継いだＩＣカードであり、サービス利用者のレンタルカード発行操作時点での、ＩＣカード情報管理サーバの履歴データを書き込まれたＩＣカードを言うものとする。
【００１７】
図１〜図１５は、本発明の一実施形態を例示する図であり、これらの図において、同一の符号を付した部分は同一物を表わし、基本的な構成および動作は同様であるものとする。
【００１８】
[1] ＩＣカードレンタルシステムの全体構成
図１は、本発明の一実施形態にかかるＩＣカードレンタルシステムについて、その全体構成を示す概略図である。
【００１９】
図１において、本実施形態のＩＣカードレンタルシステムは、ＩＣカード情報管理サーバ１０１と、サービス利用者が操作する操作端末１０２と、レンタルカード１０３と、ＩＣカード処理装置１０４，１０５，…と、サービス利用者が元々保持していた保持カード１０６と、クレジットカード会社決済システム１０７とを含んでいる。ＩＣカード情報管理サーバ１０１と操作端末１０２とＩＣカード処理装置１０４，１０５，…とクレジットカード会社決済システム１０７は、通信回線網に接続されており、相互に通信可能である。
【００２０】
ＩＣカード処理装置１０４，１０５，…は、例えばＩＣカードの電子マネーで買い物ができる店舗やＩＣカードで乗車できる鉄道の改札などに設置される装置であり、ＩＣカードに対して電子マネーの入金ができる端末も含むものとする。なお、ＩＣカード処理装置１０４，１０５，…は複数存在するが、説明の便宜のため、以下の説明では「ＩＣカード処理装置１０４」と呼ぶものとする。操作端末１０２は、サービス利用者がレンタルカードの発行を受けるために操作する端末であり、ＩＣカード処理装置１０４に近接して設置されている。操作端末１０２も複数台存在するが、図１では１台のみ図示している。
【００２１】
サービス利用者は、例えば元々保持していた保持カード１０６を自宅に置き忘れたことに気が付いたとき、操作端末１０２を操作して、レンタルカード１０３を申請し、その発行を受けることができる。すなわち、サービス利用者が操作端末１０２を操作し、レンタルカード発行に必要な情報を入力すると、操作端末１０２は、ＩＣカード情報管理サーバ１０１にレンタルカード発行に必要となるデータを送信する。ＩＣカード情報管理サーバ１０１は、その利用者が適正な利用者であることをチェックし、発行するレンタルカードの情報を操作端末１０２に返す。該情報を受信した操作端末１０２は、受信したデータに従ってレンタルカード１０３の発行を行う。
【００２２】
レンタルカード１０３を返却する場合は、サービス利用者が操作端末１０２を操作し、レンタルカード１０３と保持カード１０６を操作端末１０２のＩＣカード読み取り装置にかざす。操作端末１０２は、レンタルカード１０３と保持カード１０６の情報を読み取り、ＩＣカード情報管理サーバ１０１に読み取ったデータを送信する。ＩＣカード情報管理サーバ１０１は、レンタルカード１０３の履歴データと保持カード１０６の履歴データを突き合わせし、保持カード１０６に書き込むデータを作成して操作端末１０２に送信する。操作端末１０２は、ＩＣカード情報管理サーバ１０１から受信した保持カードの書き込みデータを元に保持カード１０６へのデータ書き込みを行う。また、操作端末１０２は、レンタルカード１０３のデータをゼロクリアして使用できないようにする。なお、返却されたレンタルカード１０３を、操作端末１０２で回収してもよい。
【００２３】
レンタルカード１０３と保持カード１０６は、ＩＣカード処理装置１０４にかざすことにより、電子マネーの利用や電車乗車などのＩＣカードサービスを利用できる。
【００２４】
ＩＣカード処理装置１０４は、定期的にＩＣカードの使用履歴データをＩＣカード情報管理サーバ１０１に送信する。また、ＩＣカード情報管理サーバ１０１からネガ情報を定期的に受信する。ネガ情報は、不正利用が疑われるため利用中止となったＩＣカードの情報である。ＩＣカード処理装置１０４は、ＩＣカード処理時に、使用するＩＣカードの情報をネガ情報と突き合わせて、使用可能か判断する。本システムでは、レンタルカード１０３を発行するとき、保持カード１０６をいったんネガ情報に登録して使用できないようにしている。レンタルカード１０３が返却されたとき、保持カード１０６をネガ情報から削除して、再度保持カード１０６を使うことができるようにする。
【００２５】
クレジットカード会社決済システム１０７は、レンタルカード返却時に保持カード１０６の残額よりも精算金額が上回っている場合に、ＩＣカード情報管理サーバ１０１から不足金額の決済要求を受け取る。上述したように、ＩＣカード処理装置１０４からＩＣカード情報管理サーバ１０１への使用履歴データの送信は、例えば１日１回というように定期的に行われる。そのため、保持カード１０６が使用されてＩＣカード処理装置１０４にはその使用履歴データが存在するにもかかわらず、その使用履歴データがＩＣカード処理装置１０４からＩＣカード情報管理サーバ１０１に送信される前にレンタルカード１０３が発行され、結果として、レンタルカード１０３の返却時に、レンタルカード１０３と保持カード１０６の使用履歴データを突き合わせたとき、電子マネーの残額を超えて買い物などをしてしまっているケースがあり得る。そのような場合の不足額については、クレジットカード会社決済システム１０７への決済要求で対処する。
【００２６】
[2] ＩＣカード情報管理サーバの構成
図２は、ＩＣカード情報管理サーバ１０１の内部構成を概略的に示す機能ブロック図である。
【００２７】
図２において、ＩＣカード情報管理サーバ１０１は、操作端末１０２からのレンタルカード発行要求を処理する発行要求処理部２０１と、ＩＣカード処理装置１０４から定期的に送信される履歴データを蓄積処理する履歴データ処理部２０２と、レンタルカード１０３と保持カード１０６への書き込みデータを作成する発行処理部２０３と、履歴データの突き合わせ処理を行う突合処理部２０４と、クレジットカード会社決済システム１０７に要求するレンタルカード１０３返却時の不足金額の決済を要求する決済要求部２０５と、履歴データやサービス利用者の情報を記憶するＩＣカード情報記憶部２０６と、操作端末１０２、ＩＣカード処理装置１０４、およびクレジットカード会社決済システム１０７とのデータ送受信を行う送受信部２０７と、突合処理部２０４の突き合わせ処理で不正利用が疑われるＩＣカードを利用中止に設定するネガ処理部２０８と、会員情報の登録・更新・削除処理を行う会員情報処理部２０９とを含んでいる。
【００２８】
図３は、ＩＣカード情報管理サーバ１０１のＩＣカード情報記憶部２０６に記憶されるデータ構造を例示する概略図である。図３において、ＩＣカード情報記憶部２０６は、履歴データ３１０および会員情報３２０を記憶している。
【００２９】
履歴データ３１０は、ＩＣカード情報管理サーバ１０１の履歴データ処理部２０２により蓄積処理をされたＩＣカードの使用履歴を、通番を付して記憶したものである。履歴データ３１０の各レコードは、ＩＣカードＩＤ３１１、通番３１２、利用日時３１３、利用場所３１４、および電子マネー残額３１５の各フィールドから構成されている。ＩＣカードＩＤ３１１は、各ＩＣカード（保持カード１０６とレンタルカード１０３）を特定する識別子である。通番３１２は、ＩＣカードごとに、そのＩＣカードが利用された履歴に通番を付すものである。ＩＣカードごとの使用履歴に通番３１２を付与することで、ＩＣカード情報管理サーバ１０１の突合処理部２０４において通番の重複、漏れ、電子マネー残額３１５の異常な増減を検知することができ、ＩＣカードの不正利用を監視することができる。利用日時３１３、利用場所３１４、および電子マネー残額３１５は、そのＩＣカードが利用された日時と場所、および利用後の残額を示す。履歴データ３１０には、電子マネーを出金した場合だけでなく、ＩＣカードを作ったときや電子マネーを入金したときの履歴データも格納するものとする。
【００３０】
会員情報３２０は、ＩＣカード情報管理サーバ１０１の会員情報処理部２０９により、サービス利用者（会員）の情報を、ＩＤを付して記憶したものである。会員情報３２０の各レコードは、会員ＩＤ３２１、氏名３２２、生年月日３２３、暗証番号３２４、ＩＣカードＩＤ３２５、およびクレジットカード番号３２６の各フィールドから構成されている。
【００３１】
会員ＩＤ３２１はそのサービス利用者を特定する識別子であり、氏名３２２、生年月日３２３、暗証番号３２４はそのサービス利用者の氏名と生年月日と暗証番号である。ＩＣカードＩＤ３２５は、そのサービス利用者が持つＩＣカード（保持カード１０６である。レンタルカード１０３が会員情報３２０のＩＣカードＩＤ３２５に登録されることはない。）のＩＣカードＩＤである。ＩＣカードＩＤ３２５と履歴データ３１０のＩＣカードＩＤコード３１１を関連付けることで、サービス利用者とＩＣカードの使用履歴との関連付け、および突き合せ処理後の最新データの確定が可能となる。また、氏名３２２、生年月日３２３、暗証番号３２４により、操作端末１０２を操作しているサービス利用者の認証を行うことができる。クレジットカード番号３２６は、そのサービス利用者が持つクレジットカードの番号であり、クレジットカード会社決済システム１０７にレンタルカード１０３返却時の不足金額の決済を要求する際に送信する。
【００３２】
図４は、ＩＣカード情報管理サーバ１０１のＩＣカード情報記憶部２０６に記憶されるデータ構造を例示する概略図である。図４において、ＩＣカード情報記憶部２０６は、ネガ情報４１０およびレンタルカード情報４２０を記憶している。
【００３３】
ネガ情報４１０の各レコードは、ＩＣカードＩＤ４１１、登録日４１２、理由４１３の各フィールドから構成されている。ネガ情報４１０には、利用を許可しないＩＣカードを登録する。レンタルカード１０３を発行する際、保持カード１０６を一時的にネガ情報４１０に登録する。これにより、レンタルカード１０３と保持カード１０６とを同時にサービス利用者が使用することを防ぐことが可能となる。例えば、図４のネガ情報４１０のうち、ＩＣカードＩＤ４１１が「id0000001」のレコードは、この「id0000001」の保持カードに対してレンタルカードが発行されたので、この保持カードを使用不許可にしたことを意味している。レンタルカード１０３返却後は、保持カード１０６をネガ情報４１０から削除することで、保持カード１０６を継続して使用することができるようになる。
【００３４】
レンタルカード情報４２０の各レコードは、会員ＩＤ４２１、ＩＣカードＩＤ４２２、レンタル元ＩＣカードＩＤ４２３、レンタル元通番４２４、発行日４２５、および状態４２６の各フィールドから構成されている。レンタルカード情報４２０には、発行したレンタルカード１０３にかかる情報を登録する。会員ＩＤ４２１はレンタルカード１０３を発行した会員のＩＤ、ＩＣカードＩＤ４２２は発行したレンタルカード１０３のＩＤ、レンタル元ＩＣカードＩＤ４２３はその会員が持っている保持カード１０６のＩＤである。レンタル元通番４２４には、レンタルカード１０３を発行したとき、その保持カード１０６に関して履歴データ３１０に登録されている最新の通番３１２を格納する。発行日４２５は、そのレンタルカード１０３の発行日である。状態４２６は、そのレンタルカードが有効か無効かの状態を設定する。保持カード１０６のＩＣカードＩＤと通番をそれぞれレンタル元ＩＣカードＩＤ４２３とレンタル元通番４２４としてレンタルカード１０３に関連付けることで、レンタルカード１０３返却時に、レンタルカード１０３発行時点で突き合わせ処理が完了していなかった履歴データの利用情報を返却後の保持カード１０６に反映させることが可能となる。
【００３５】
[3] 操作端末の構成
図５は、操作端末１０２の機器構成を概略的に示す図である。図５において、操作端末１０２は、画面表示を行い、またサービス利用者の入力操作を受け付けるタッチパネル５０１と、ＩＣカードに対する読み込み処理と書き込み処理を行うＩＣカード読み書き装置５０２と、を含んでいる。
【００３６】
図６は、操作端末１０２の内部構成を概略的に示す機能ブロック図である。図６において、操作端末１０２は、タッチパネル５０１に表示する画面を制御する画面表示部６０１と、ＩＣカード情報管理サーバ１０１とのデータの送受信を行う送受信部６０３と、ＩＣカード読み書き装置５０２にＩＣカード読み込み処理やＩＣカード書き込み処理を指示するＩＣカード制御部６０２と、ＩＣカード情報管理サーバ１０１から取得したネガ情報を用いて処理を行うネガ処理部６０４と、を含んでいる。
【００３７】
[4] レンタルカード発行時の動作
次に、図７、図８、および図９を参照しながら、上記した本実施形態のＩＣカードレンタルシステムのレンタルカード１０３発行時の動作について説明する。
【００３８】
図７は、操作端末１０２のレンタルカード発行時のサービス利用者認証時に表示する画面を示す図である。該画面には、氏名、生年月日、および暗証番号の入力を促す文言と、次画面への遷移を行うボタンと、ソフトキーボードとを表示し、利用者はタッチパネル操作により入力を行う。入力後、次画面への遷移を行う「次へ」ボタンを押すことにより、入力された情報をＩＣカード情報管理サーバ１０１に送信し、ＩＣカード情報管理サーバ１０１からの応答を待つ。
【００３９】
図８は、操作端末１０２のレンタルカード発行時の発行レンタルカードの内容を表示する画面を示す図である。該画面には、ＩＣカード情報管理サーバ１０１から受信した履歴データ（後述するステップ９０３で送信されるデータ）と、レンタルカード発行により保持カード１０６が使用できなくなる旨の注意文言と、期限以内にレンタルカード１０３が返却されない場合にはレンタルカード１０３が使用できなくなる旨の注意文言と、発行処理を行う「発行」ボタンと、発行処理をキャンセルする「キャンセル」ボタンと、を表示する。利用者が発行処理を行うボタンを押すと、操作端末１０２は、ＩＣカード情報管理サーバ１０１に発行処理を行う旨を送信し、ＩＣカード情報管理サーバ１０１からの応答を待つ。
【００４０】
なお、図８の「現在お持ちのＩＣカード」の「残額：３，０００円」は、現在このサービス利用者が持っている保持カード１０６について、ＩＣカード情報管理サーバ１０１に格納されている最新の履歴データの電子マネー残額が３，０００円であることを示している。実際にはその最新の履歴データの利用日時の後に、当該保持カード１０６を利用したがその履歴データは未だＩＣカード情報管理サーバ１０１に送信されていないことがあるので、この「残額：３，０００円」は厳密には確定した残額とは言えない。ただし、本実施形態のシステムでは、利用者の便宜を考慮して、確定していない残額でとりあえずレンタルカードを発行し、該レンタルカードの返却時に不足分があった場合はクレジットカード決済でその不足分を回収するようにしている。レンタルカードの返却時の処理などについては後に詳しく説明する。
【００４１】
図９は、ＩＣカード情報管理サーバ１０１のレンタルカード発行時の処理フローを示す図である。
【００４２】
まず、操作端末１０２から送信された氏名、生年月日、および暗証番号（図７の画面で入力されたもの）といった利用者の情報を会員情報３２０から検索し、当該利用者の会員情報が存在するか確認する（ステップ９０１）。該当する会員情報が存在しない場合、エラー情報を操作端末１０２に送信して終了する（ステップ９０８）。この場合は、レンタルカード１０３は発行されない。
【００４３】
該当する会員情報が存在する場合、その会員の保持カード１０６の履歴データ３１０の検索を行う（ステップ９０２）。ステップ９０２にて取得した履歴データのうち、最新の履歴データの情報からレンタルカード１０３発行に関連するデータ（特に最新の履歴データの電子マネー残額３１５）を操作端末１０２に送信する（ステップ９０３）。また、図３では不図示だが、その保持カード１０６が例えば定期券など電子マネー以外の機能を持つものである場合は、ＩＣカード情報記憶装置２０６に、その会員の会員情報に紐付けられた定期券などに関する情報（例えば、定期券であれば乗車区間や期間など）が記憶されているので、それらの情報も操作端末１０２に送信するものとする（ステップ９０３）。操作端末１０２は、これらのデータを受信して、図８に示したように画面に表示し、サービス利用者にレンタルカード１０３の内容の確認を促す。
【００４４】
図８の画面でサービス利用者が「キャンセル」ボタンを押したときは、不図示だが図９の以降の処理は行わずに終了する。図８の画面でサービス利用者が「発行」ボタンを押すと、操作端末１０２からＩＣカード情報管理サーバ１０１に、レンタルカード１０３を発行する旨を示すデータが送信される。ＩＣカード情報管理サーバ１０１は、操作端末１０２からレンタルカード１０３発行する旨を示すデータを受信した後、当該会員の保持カード１０６を使用中止とするためネガ情報４１０に登録する（ステップ９０４）。
【００４５】
次に、ステップ９０２で検索した履歴データが存在するか判定する（ステップ９０５）。履歴データが存在していた場合は、履歴データの最新情報と会員情報などを操作端末１０２に送信する（ステップ９０６）。なお、既にステップ９０３で送信してある情報については、再度送信する必要はない。操作端末１０２は、送信された履歴データの最新情報と会員情報などに基づいてレンタルカード１０３を発行する。ステップ９０５で履歴データが存在しなかった場合は、履歴データの引継ぎを行う必要がないため、会員情報のみを操作端末１０２に送信する（ステップ９０７）。この場合、操作端末１０２は、受信した会員情報に基づいてレンタルカード１０３を発行する。
【００４６】
なお、ステップ９０５→９０７と進むケースは、そのＩＣカードが電子マネーの機能を持たない場合である。例えば、定期券の機能のみを持ち電子マネーの機能を持たないＩＣカードなどがあるが、その場合は、電子マネーの残額を管理する必要がないのでそのカードに関して履歴データが格納されることはない。ただし、会員情報３２０には、定期券に関する情報（乗車区間や期間など）が紐付けられているので、ステップ９０７（またはステップ９０３）ではそのような情報も含めて操作端末１０２に送信し、定期券の機能のみを持つレンタルカード１０３を発行する。ステップ９０６，９０７でレンタルカード１０３を発行する場合は、レンタルカード情報４２０（図４）に当該レンタルカードにかかる情報を登録するとともに、履歴データ３１０（図３）に、当該レンタルカード１０３を登録する。その際、当該レンタルカード１０３の電子マネー残額３１５は、とりあえず保持カード１０６について確認できた最新の履歴データでの残額と同額としておく。
【００４７】
[5] レンタルカード、保持カード使用時の動作
【００４８】
次に、図１０および図１１を参照しながら、上記実施形態のＩＣカードレンタルシステムのレンタルカード１０３の使用時、およびレンタルカード１０３発行後の保持カード１０６の使用時の動作について説明する。
【００４９】
図１０は、レンタルカードをＩＣカード処理装置１０４にかざして使用する場合の処理を示す図である。左側の「利用者」の流れはサービス利用者の動作、真ん中の「ＩＣカード処理装置」の流れはＩＣカード処理装置１０４の処理、右側の「ＩＣカード情報管理サーバ」の流れはＩＣカード情報管理サーバ１０１の処理を示す。
【００５０】
ＩＣカード処理装置１０４は、定期的にＩＣカード情報管理サーバ１０１からネガ情報４１０を取得する（ステップ１００１）。また、当該ＩＣカード処理装置１０４で使用されたＩＣカードの使用履歴データを定期的にＩＣカード情報管理サーバ１０１に送信する（ステップ１００２）。ＩＣカード情報管理サーバ１０１は、その使用履歴データを受信し、図３の履歴データ３１０としてＩＣカード情報記憶装置２０６に格納する。これらのステップ１００１，１００２の処理は、図１０ではそれぞれ１つのブロックで示したが、「定期的に」と説明したように、それぞれ所定期間間隔（例えば、１日１回など）で繰り返し実行される処理である。
【００５１】
利用者がレンタルカード１０３を使用した場合（例えば、店舗で買い物をしその支払をレンタルカード１０３の電子マネーで行った場合）、ＩＣカード処理装置１０４は、そのレンタルカード１０３の読み込み処理を行う（ステップ１００３）。次に、ネガ情報（既にステップ１００１で取得し、ＩＣカード処理装置１０４内に保持されている情報）を照会し、読み取り内容を元に、そのカードが使用不可となっていないか確認する（ステップ１００４）。もし使用が許可されていないカードであれば、以降の処理は行わず、使用不可のカードである旨を利用者に通知して処理を終了する。使用可能なレンタルカード１０３である場合、ＩＣカード処理装置１０４は、そのレンタルカード１０３に対して使用履歴データの書き込み（例えば、買い物をして電子マネーで支払った場合は、日時などの定型的な情報のほか、幾らの買い物で残額が幾らになったかなどの情報を書き込む）を行う（ステップ１００５）。その使用履歴データは、ＩＣカード処理装置１０４内に保持され、上記ステップ１００２の定期送信タイミングが来たときＩＣカード情報管理サーバ１０１に送信される。
【００５２】
図１１は、レンタルカードが有効な状態において保持カードをＩＣカード処理装置１０４にかざして使用した場合の処理を示す図である。左側の「利用者」の流れはサービス利用者の動作、真ん中の「ＩＣカード処理装置」の流れはＩＣカード処理装置１０４の処理、右側の「ＩＣカード情報管理サーバ」の流れはＩＣカード情報管理サーバ１０１の処理を示す。ステップ１００１と１００２は、図１０で説明した定期的に行う処理である。
【００５３】
利用者（この場合は保持カード１０６の正当な所有者でない場合もある）が保持カード１０６を使用した場合（例えば、店舗で買い物をしその支払を保持カード１０６の電子マネーで行おうとした場合）、ＩＣカード処理装置１０４は、その保持カード１０６の読み込み処理を行う（ステップ１１０１）。次に、ネガ情報（既にステップ１００１で取得し、ＩＣカード処理装置１０４内に保持されている情報）を照会し、読み取り内容を元に、そのカードが使用不可となっていないか確認する（ステップ１１０２）。その保持カード１０６に対してレンタルカード１０３が発行されていたとすると、その保持カード１０６はネガ情報４１０に登録され使用不可となっているはずである。そのため、ＩＣカード処理装置１０４は、その保持カード１０６に対して使用拒否し、利用者に対してその旨を通知する（ステップ１１０３）。
【００５４】
[6] レンタルカード返却時の動作
次に、図１２、図１３、図１４、および図１５を参照しながら、上記実施形態のＩＣカードレンタルシステムのレンタルカード１０３返却時の動作について説明する。
【００５５】
図１２は、操作端末１０２においてサービス利用者がレンタルカード１０３の返却を指示する操作を行ったときに表示される画面例である。この画面では、レンタルカード１０３と保持カード１０６をＩＣカード読み書き装置５０３にかざすことを促す旨の文言を表示する。この画面に応じて、サービス利用者がレンタルカード１０３と保持カード１０６を読み書き装置５０３にかざすと、操作端末１０２は、そのレンタルカード１０３と保持カード１０６のデータ（特に両カードのＩＣカードＩＤ）を読み込み、読み込んだ情報をＩＣカード情報管理サーバ１０１に送信し、ＩＣカード情報管理サーバ１０１からの応答を待つ。
【００５６】
図１３は、レンタルカード１０３返却時の精算において、レンタルカード１０３発行時点までに保持カード１０６を利用した結果の電子マネーの残額（レンタルカード１０３発行時点までに使用履歴データのＩＣカード情報管理サーバ１０１への送信が間に合わなかった使用履歴も含めた上での実質的な残額）がレンタルカード１０３による電子マネーの使用額を上回っていた場合（一致している場合も含む）に、操作端末１０２に表示する画面を示す図である。この画面では、レンタルカード発行時のＩＣカード残額１３０１と、レンタルカード発行前にご使用頂いた額１３０２と、ＩＣカードレンタル料金１３０４と、レンタルカードでご使用頂いた額１３０３と、お持ちのＩＣカードの残額１３０５と、返却を実行するボタンと、返却をキャンセルするボタンと、を表示する。
【００５７】
レンタルカード発行時のＩＣカード残額１３０１は、レンタルカード情報４２０（図４）から、当該保持カード１０６のＩＣカードＩＤをレンタル元ＩＣカードＩＤ４２３とし、かつ、当該レンタルカード１０３のＩＣカードＩＤをＩＣカードＩＤ４２２とするレコードを取得し、取得したレコードのレンタル元通番４２４を取得し、履歴データ３１０（図３）から当該保持カード１０６のＩＣカードＩＤをキーに履歴レコードを取得し、取得した履歴レコードの中で通番３１２が前記レンタル元通番４２４である履歴レコードの電子マネー残額３１５を、ＩＣカード残額１３０１として表示したものである。要するに、この残額は、レンタルカード１０３発行時に図８の画面で「発行するレンタルカード」の「残額」に表示した額と同額になる。
【００５８】
レンタルカード発行前にご使用頂いた額１３０２は、履歴データ３１０から当該保持カード１０６のＩＣカードＩＤをキーとして取得した履歴レコードのうち、レンタルカード１０３発行日以降の最も新しい履歴レコードの電子マネー残額３１５とレンタルカード発行時のＩＣカード残額１３０１との差額である。要するに、当該レンタルカード１０３の発行日時４２５より前に保持カード１０６を利用したが、その使用履歴が（レンタルカード１０３発行時点で）ＩＣカード情報記憶装置２０６の履歴データ３１０に反映されていなかった利用額を、レンタルカード発行前にご使用頂いた額１３０２として、表示するものである。
【００５９】
ＩＣカードレンタル料金１３０４は、レンタルカード１０３を発行した手数料である。レンタルカードでご使用頂いた額１３０３は、読み込んだレンタルカード１０３の残額とレンタルカード発行時のＩＣカード残額１３０１との差額である。お持ちのＩＣカードの残額１３０５は、レンタルカード発行時のＩＣカード残額１３０１から、レンタルカード発行前にご使用頂いた額１３０２と、レンタルカードでご使用頂いた額１３０３と、ＩＣカードレンタル料金１３０４と、を減額した額である。
【００６０】
最終的には、お持ちのＩＣカードの残額１３０５が、このサービス利用者の電子マネーの残額になるので、この残額が、返却後に保持カード１０６の残額として書き込まれる額となる。図１３の画面でサービス利用者が返却を実行するボタンを押すと、操作端末１０２からＩＣカード情報管理サーバ１０１に返却処理を行う旨を示すデータが送信される。その後、操作端末１０２は、ＩＣカード情報管理サーバ１０１からの応答を待つ。
【００６１】
図１４は、レンタルカード１０３返却時の精算において、レンタルカード１０３発行時点までに保持カード１０６を利用した結果の電子マネーの残額（レンタルカード１０３発行時点までに使用履歴データのＩＣカード情報管理サーバ１０１への送信が間に合わなかった使用履歴も含めた上での実質的な残額）がレンタルカード１０３による電子マネーの使用額を下回っていた場合に、操作端末１０２に表示する画面を示す図である。この画面では、図１３と同様に、レンタルカード発行時のＩＣカード残額と、レンタルカード発行前にご使用頂いた額と、ＩＣカードレンタル料金と、レンタルカードでご使用頂いた額と、お持ちのＩＣカードの残額と、不足金額と、返却を実行するボタンと、返却をキャンセルするボタンと、を表示する。
【００６２】
このケースでは、レンタルカード１０３発行時点における当該利用者の電子マネーの実質的な残額を超えて買い物などで電子マネーを使ってしまっているので、お持ちのＩＣカードの残額は０円となり、さらに不足額が７００円あるので、その不足額についてはクレジットカード会社から請求される旨の注意文言が表示されている。この画面で返却を実行するボタンを押すと、操作端末１０２からＩＣカード情報管理サーバ１０１に返却処理を行う旨を示すデータが送信される。その後、操作端末１０２は、ＩＣカード情報管理サーバ１０１からの応答を待つ。
【００６３】
図１５は、ＩＣカード情報管理サーバ１０１のレンタルカード返却時の処理フローを示す図である。操作端末１０２において、サービス利用者がレンタルカード１０３の返却を指示する操作を行うと図１２の画面が表示され、該画面に応じてサービス利用者がレンタルカード１０３と保持カード１０６とを操作端末１０２のＩＣカード読み書き装置５０３にかざすと、そのレンタルカード１０３と保持カード１０６のデータが読み込まれてＩＣカード情報管理サーバ１０１に送信される。ＩＣカード情報管理サーバ１０１は、該データを受信すると、図１５の処理を開始する。
【００６４】
まず、操作端末１０２のＩＣカード読み書き装置５０２にかざされたＩＣカードがレンタルカード１０３および保持カード１０６であるかをレンタルカード情報４２０（図４）を検索して確認する（ステップ１５０１）。レンタルカード情報４２０に存在しない場合は、そのまま処理を終了する。かざされたＩＣカードがレンタルカード情報４２０に登録されているレンタルカード１０３および保持カード１０６である場合は、そのレンタルカード１０３および保持カード１０６の履歴データ３１０を検索する（ステップ１５０２）。取得した履歴データの中から、保持カード１０６の最終使用履歴データを取得し、返却時点でのレンタルカード１０３の使用履歴データを取得し、それらのデータから利用料金を計算し、精算後の残額を操作端末１０２に送信する（ステップ１５０３）。これにより、操作端末１０２では図１３，１４のような表示が実行される。
【００６５】
次に、操作端末１０２で表示された図１３，１４の画面で返却ボタンが押されたか確認する（ステップ１５０４）。キャンセルボタンが押された場合は、そのまま処理をキャンセルする。返却ボタンが押された場合は、当該レンタルカード１０３を使用中止とするため、当該レンタルカード１０３のデータをゼロクリアする指示を操作端末１０２に送信する（ステップ１５０５）。操作端末１０２は、該指示を受けて、レンタルカード１０３のデータをゼロクリアして使用できないようにする。次に、当該保持カード１０６を使用開始とするため、ネガ情報４１０から当該保持カード１０６の情報を削除する（ステップ１５０６）。
【００６６】
次に、当該保持カード１０６の残額が精算金額より多いか確認する（ステップ１５０７）。この判別は、既にステップ１５０３で精算後の残額を計算して、不足額がないときは図１３の表示を行い、不足額があるときは図１４の表示を行うようにしているので、その不足額の有無により判別できる。不足額があるときは、ステップ１５０７から１５０８に進んで、その不足金額をクレジットカード会社に請求依頼する（ステップ１５０８）。不足額がないとき（当該保持カード１０６の残額と精算金額とが一致した場合も含む）は、そのままステップ１５０９に進む。最後に、保持カード１０６を引き続き使用できるようにするため、当該保持カード１０６の残額を精算後の残額（すなわち、図１３，１４のお持ちのＩＣカードの残額として表示された額）にし、通番を当該保持カード１０６の履歴データの最新の通番３１２からインクリメントする指示を操作端末１０２に送信する（ステップ１５０９）。なお、ステップ１５０７でカード残額が精算金額より少ない場合、すなわち上述の不足額があった場合は、残高に０円を書き込むものとする。
【００６７】
なお、ステップ１５０２，１５０３では、ＩＣカード情報管理サーバ１０１内に記録されている使用履歴データ３１０を用いて図１３，１４の「レンタルカードでご使用頂いた額」１３０３を求めているが、レンタルカード１０３を何れかのＩＣカード処理装置１０４で使用した後、そのＩＣカード処理装置１０４から履歴データが定期送信（図１０，１１の１００２）される前にレンタルカード１０３の返却処理が為されると、残額の計算が不正確になる。これを避けるためには、例えば下記（１）〜（３）のような対策がある。
【００６８】
（１）「レンタルカードでご使用頂いた額」１３０３を求める際に、ＩＣカード情報管理サーバ１０１からＩＣカード処理装置１０４に問い合わせて、ＩＣカード処理装置１０４からＩＣカード情報管理サーバ１０１に未だ送信していない履歴データがあれば、それを送信させる。返却されるレンタルカード１０３内には、当該レンタルカード１０３を使用した履歴データが記録されており、該履歴データには当該レンタルカード１０３を使用したＩＣカード処理装置１０４を特定する情報が含まれているので、ＩＣカード情報管理サーバ１０１は、問い合わせるべきＩＣカード処理装置１０４を特定できる。問い合わせた結果、履歴データが送信されてきたら、ＩＣカード情報管理サーバ１０１は、それらの履歴データをＩＣカード情報２０６の履歴データ３１０に格納し、最新の状態としてからステップ１５０３の残額の計算を実行する。
【００６９】
（２）レンタルカード１０３内には、当該レンタルカード１０３を使用した履歴データが記録されているので、ＩＣカード情報管理サーバ１０１は、履歴データ３１０に加えて当該レンタルカード１０３内の履歴データを利用して、「レンタルカードでご使用頂いた額」１３０３を求める。この場合は、当該レンタルカード１０３内の履歴データを、後でＩＣカード処理装置１０４からＩＣカード情報管理サーバ１０１に定期送信される履歴データと突き合わせる必要がある。
【００７０】
（３）とりあえず、レンタルカードの返却時点でＩＣカード情報管理サーバ１０１に保持されている履歴データ３１０を用いて図１５の返却処理を実行する。その後、ＩＣカード処理装置１０４から定期送信された履歴データの中に、既に図１５の返却処理を終えたレンタルカード１０３の使用履歴が含まれていたら、追加処理としてその分の不足金額をクレジットカード会社に請求依頼する処理を行う。この場合、図１５のステップ１５０７の判別がＹＥＳなら、「当該レンタルカード１０３に関するクレジットカード会社への請求は無しである旨」を中間結果として記憶し、ステップ１５０７の判別がＮＯなら、ステップ１５０８でクレジットカード会社への請求は行わずに、「当該レンタルカード１０３に関するクレジットカード会社への請求は有りである旨」とその不足金額を中間結果として記憶しておき、その後、少なくとも全ＩＣカード処理装置１０４からの履歴データの定期送信が終了するまでの時間を取った後に上述の追加処理を実行し、上記中間結果と追加処理の結果とを合わせて、最終的なクレジットカード会社への請求の有無と請求金額とを決定するようにしてもよい。最終結果としてクレジットカード会社へ請求する必要がある場合は、合算した不足額をクレジットカード会社に請求依頼する。
【００７１】
上記実施形態では、不足金額の精算についてはクレジットカード会社による決済としたが、現金での精算としても良い。
【００７２】
以上、本発明のＩＣカードレンタルシステムについて、具体的な実施の形態を示して説明したが、本発明はこれらに限定されるものではない。当業者であれば、本発明の要旨を逸脱しない範囲内において、上記各実施形態又は他の実施形態にかかる発明の構成および機能に様々な変更・改良を加えることが可能である。
【００７３】
特に、サービス利用者の認証については、氏名、生年月日、暗証番号による認証以外にも、指紋認証や静脈認証などの生体認証を採用することができる。例えば指紋認証であれば、サービス利用者に情報の入力を求める必要が無く、ユーザビリティの向上や誤入力を防止することが可能である。
【産業上の利用可能性】
【００７４】
本発明のＩＣカードレンタルシステムは、ＩＣカードの情報を管理するシステムであり、特に、一時的にサービス利用者が保持しているＩＣカードのデータを引き継いだＩＣカードを臨時で発行し、期限を設けて貸し出すＩＣカードレンタルシステムとして利用可能である。
【符号の説明】
【００７５】
１０１…ＩＣカード情報管理サーバ、１０２…操作端末、１０３…レンタルカード、１０４，１０５，……ＩＣカード処理装置、１０６…保持カード、１０７…クレジットカード会社決済システム 、２０１…発行要求処理部、２０２…履歴データ処理部、２０３…発行処理部、２０４…突合処理部、２０５…決済要求部、２０６…ＩＣカード情報記憶部、２０７…送受信部、２０８…ネガ処理部、２０９…会員情報処理部、３１０…履歴データ、３１１…ＩＣカードＩＤ…、３１２…通番、３１３…利用日時、３１４…利用場所、３１５…電子マネー残額、３２０…会員情報、３２１…会員ＩＤ、３２２…氏名、３２３…生年月日、３２４…暗証番号、３２５…ＩＣカードＩＤ、３２６…クレジットカード番号、４１０…ネガ情報、４１１…ＩＣカードＩＤ、４１２…登録日、４１３…理由、４２０…レンタルカード情報…、４２１…会員ＩＤ、４２２…ＩＣカードＩＤ、４２３…レンタル元ＩＣカードＩＤ、４２４…レンタル元通番、４２５…発行日、４２６…状態、５０１…操作端末、５０２…タッチパネル、５０３…ＩＣカード読み書き装置、６０１…画面表示部、６０２…ＩＣカード制御部、６０３…送受信部、６０４…ネガ処理部。
【図１】
0005737760.tif 000002
【図２】
0005737760.tif 000003
【図３】
0005737760.tif 000004
【図４】
0005737760.tif 000005
【図５】
0005737760.tif 000006
【図６】
0005737760.tif 000007
【図７】
0005737760.tif 000008
【図８】
0005737760.tif 000009
【図９】
0005737760.tif 000010
【図１０】
0005737760.tif 000011
【図１１】
0005737760.tif 000012
【図１２】
0005737760.tif 000013
【図１３】
0005737760.tif 000014
【図１４】
0005737760.tif 000015
【図１５】
0005737760.tif 000016